(57)【要約】【課題】インターネットまたはテレビジョン放送により得られる所定のデータから、画像データおよびテキストデータを分離することができるようにする。【解決手段】  チューナ９１は、所定のデータを含んでいるインターネットまたはテレビジョン放送信号を受信する。データデコーダ９５は、チューナ９１により受信されたインターネットまたはテレビジョン放送信号からHTMLデータを抽出する。HTMLデータから、少なくとも画像データ、テキストデータが分離される。【選択図】図６
2004185022.tif 000002
【特許請求の範囲】
【請求項１】
インターネットまたはテレビジョン放送により得られる所定のデータを表示手段に表示させる制御を行う表示制御装置であって、
前記所定のデータを含んでいるインターネットまたはテレビジョン放送により得られる信号を受信する受信手段と、
前記受信手段により受信された前記インターネットまたはテレビジョン放送信号から前記所定のデータを抽出する抽出手段と、
前記所定のデータから、少なくとも画像データおよびテキストデータを分離する分離手段と
を有することを特徴とする表示制御装置。
【請求項２】
前記分離手段は、前記所定のデータを表示画面に表示する時のレイアウトに関するレイアウト情報をさらに分離する
ことを特徴とする請求項１に関する表示制御装置。
【請求項３】
前記表示手段の属性情報を記憶する属性情報記憶手段と、
前記属性情報に基づいて、前記レイアウト情報を修正するレイアウト情報修正手段と
をさらに備えることを特徴とする請求項２に関する表示制御装置。
【請求項４】
インターネットまたはテレビジョン放送により得られる所定のデータを表示手段に表示させる制御を行う表示制御方法であって、
前記所定のデータを含んでいるインターネットまたはテレビジョン放送により得られる信号を受信し、
受信した前記インターネットまたはテレビジョン放送信号から前記所定のデータを抽出し、
前記所定のデータから、少なくとも画像データ、テキストデータ、および前記所定のデータを表示画面に表示する時のレイアウトに関するレイアウト情報を分離する
ことを特徴とする表示制御方法。
【請求項５】
前記表示手段の属性情報を記憶し、
その属性情報に基づいて、前記レイアウト情報を修正する
ことを特徴とする請求項４に関する表示制御方法。
【発明の詳細な説明】
【技術分野】
【０００１】
本発明は、表示制御装置および表示制御方法に関する。特に、インターネットまたはテレビジョン放送により得られる所定のデータから、画像データおよびテキストデータを分離することができるようにした表示制御装置および表示制御方法に関する。
【背景技術】
【０００２】
最近、インターネットの利用者が増加しつつある。インターネットは、ＷＷＷ（World Wide Web）サーバと呼ばれるサーバに接続されており、利用者は、このＷＷＷサーバから発信される様々なデータにアクセスすることができる。
【０００３】
ＷＷＷサーバから提供されるデータには、例えばハイパーテキストを記述するのに適したＨＴＭＬ（Hyper Text Markup Language）で記述されたものがある。ＨＴＭＬで記述されたデータ（以下、適宜、ＨＴＭＬデータという）によれば、例えばアイコンなどの、いわばボタンとなる表示部分（ボタン情報）と、その表示部分に対応する詳細な情報とを、容易にリンクさせておくことができ、利用者は、ボタン情報を操作（例えば、クリックなど）することで、そのボタン情報に対応付けられた情報を見ることができる。
【０００４】
ところで、ＨＴＭＬデータの表示には、一般に、６４０×４８０ドット程度の解像度を有する表示装置が必要であるため、ＷＷＷサーバから得たＨＴＭＬデータを、例えばＮＴＳＣ方式やＰＡＬ方式に準拠したテレビジョン放送の映像を表示するテレビジョン受像機に表示させることは困難であった。そこで、ＷＷＷサーバにおいて、ＨＴＭＬデータを、テレビジョン受像機で表示可能なように加工して発信する方法があるが、これでは、そのＨＴＭＬデータを、コンピュータ用のディスプレイで表示することが困難となる。
【０００５】
また、従来、ＨＴＭＬデータにより表示されるアイコン（ボタン情報）は、規則的に、所定の位置に表示されるようにはなされていなかったため、詳細な情報を見ようとする場合には、例えばマウスなどのポインティングデバイスを操作し、カーソルを、アイコンの位置に正確に移動させる必要があるが、その操作には、ある程度の熟練を要していた。
【０００６】
さらに、従来、ＨＴＭＬデータによれば、ダイナミックにリンクされた情報がすべて表示されるため、利用者は、所望する情報を探し出すのに時間を要する課題があった。即ち、最初の画面において、情報の項目だけ表示し、所望する項目に対応するアイコンを操作することで、詳細な情報が表示されるようになっていても、最初に表示される項目の数が多いために、その中から、所望する項目を探し出すのに時間を要していた。
【発明の開示】
【発明が解決しようとする課題】
【０００７】
ところで、インターネットまたはテレビジョン放送により得られる所定のデータから、画像データおよびテキストデータを分離することができることは、便利である。
【０００８】
本発明は、このような状況に鑑みてなされたものであり、インターネットまたはテレビジョン放送により得られる所定のデータから、画像データおよびテキストデータを分離することができるようにするものである。
【課題を解決するための手段】
【０００９】
本発明の表示制御装置は、所定のデータを含んでいるインターネットまたはテレビジョン放送信号を受信する受信手段と、受信手段により受信されたインターネットまたはテレビジョン放送により得られる信号から所定のデータを抽出する抽出手段と、所定のデータから、少なくとも画像データおよびテキストデータを分離する分離手段とを有することを特徴とする。
【００１０】
分離手段は、所定のデータを表示画面に表示する時のレイアウトに関するレイアウト情報をさらに分離するようにすることができる。
【００１１】
表示手段の属性情報を記憶する属性情報記憶手段と、属性情報に基づいて、レイアウト情報を修正するレイアウト情報修正手段とをさらに備えるようにすることができる。
【００１２】
本発明の表示制御方法は、所定のデータを含んでいるインターネットまたはテレビジョン放送により得られる信号を受信し、受信したインターネットまたはテレビジョン放送信号から所定のデータを抽出し、所定のデータから、少なくとも画像データおよびテキストデータ、および所定のデータを表示画面に表示する時のレイアウトに関するレイアウト情報を分離することを特徴とする。
【００１３】
表示手段の属性情報を記憶し、その属性情報に基づいて、レイアウト情報を修正するようにすることができる。
【００１４】
本発明の表示制御装置においては、所定のデータを含んでいるインターネットまたはテレビジョン放送信号が受信され、受信されたインターネットまたはテレビジョン放送信号から所定のデータが抽出され、所定のデータから、少なくとも画像データ、テキストデータが分離される。
【００１５】
本発明の表示制御方法においては、所定のデータを含んでいるインターネットまたはテレビジョン放送信号が受信され、受信したインターネットまたはテレビジョン放送信号から所定のデータが抽出され、所定のデータから、少なくとも画像データ、テキストデータ、所定のデータを表示画面に表示する時のレイアウトに関するレイアウト情報が分離される。
【発明の効果】
【００１６】
本発明の表示制御装置および表示制御方法によれば、インターネットまたはテレビジョン放送により得られる所定のデータから、画像データおよびテキストデータを分離することが可能となる。
【発明を実施するための最良の形態】
【００１７】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１８】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００１９】
請求項１に記載の表示制御装置は、インターネットまたはテレビジョン放送により得られる所定のデータ（例えば、HTMLデータ）を表示手段（例えば、図１に示すモニタ９など）に表示させる制御を行う表示制御装置であって、前記所定のデータを含んでいるインターネットまたはテレビジョン放送により得られる信号を受信する受信手段(例えば、図６のチューナ９１など)と、前記受信手段により受信された前記インターネットまたはテレビジョン放送信号から前記所定のデータを抽出する抽出手段（例えば、図６のデータデコーダ９５）と、前記所定のデータから、少なくとも画像データおよびテキストデータを分離する分離手段(例えば、図１のデータ処理回路３)とを有することを特徴とする。
【００２０】
請求項３に記載の表示制御装置は、前記表示手段の属性情報（例えば、モニタ属性情報）を記憶する属性情報記憶手段（例えば、図２のモニタ属性情報記憶部２３）と、前記属性情報に基づいて、前記レイアウト情報を修正するレイアウト情報修正手段（例えば、図２のレイアウト修正部２２）とをさらに備えることを特徴とする。
【００２１】
図１は、本発明を適用した再生装置の一実施例の構成を示している。この再生装置は、例えば光磁気ディスク（例えば、データの記録再生用のＭＤ（商標）（ＭＤデータ（Mini Disc data）（商標））など）や、磁気テープその他の記録再生が可能な記録媒体１に記録されたデータを再生し、例えばテレビジョン受像機などの、テレビジョン放送による映像が表示可能なモニタ９に出力して表示させるようになされている。
【００２２】
即ち、記録媒体１には、例えばコンピュータなどの端末１０によって、インターネットを介して得られたＨＴＭＬデータが記録されている。この記録媒体１は、再生装置に着脱可能になされており、ユーザは、記録媒体１に記録されたＨＴＭＬデータを見るとき、再生装置に記録媒体１をセットして、操作部７を、記録媒体１を再生するように操作する。この操作に対応する操作信号（以下、適宜、再生操作信号という）は、操作部７から制御回路８に出力され、制御回路８は、再生操作信号を受信すると、例えばピックアップなどでなる再生部２を、記録媒体１からＨＴＭＬデータを再生するように制御する。これにより、再生部２では、記録媒体１に記録されたＨＴＭＬデータが再生され、データ処理回路３に出力される。
【００２３】
データ処理回路３には、再生部２からＨＴＭＬデータが供給される他、制御回路８から設定情報が、また、検出回路６からモニタ属性情報が供給されている。ここで、設定情報は、ＨＴＭＬデータに含まれる、その内容の項目のうち、ユーザが表示を希望する項目に関する情報で、ユーザが操作部７を操作することで入力する。また、モニタ属性情報は、モニタ９の解像度を含む、その表示能力に関する情報で、検出回路６によって検出される。なお、このモニタ属性情報は、データ処理回路３だけでなく、間引き回路４にも供給されるようになされている。但し、間引き回路４へのモニタ属性情報の供給は、図１では、検出回路６から行われるようになされているが、実際には、後述する図２に示すように、データ処理回路３を介して行われるようになされている。
【００２４】
データ処理回路３は、設定情報およびモニタ属性情報に基づいて、再生部２からのＨＴＭＬデータに、所定のデータ処理を施すようになされている。即ち、ＨＴＭＬデータは、表示すべき画像データ（アイコンとなるべき画像データを含む）およびテキストデータ、これらの内容の項目に関する情報（以下、適宜、項目選択情報という）（画像データおよびテキストデータが、例えば天気予報に関するものであれば、「天気予報」というタイトルなど）、並びに画像データ、テキストデータ、項目情報を表示するときのレイアウトに関する情報（以下、適宜、レイアウト情報という）などを含んでいる。データ処理回路３は、ＨＴＭＬデータを、上述したようなデータに分離し、設定情報に基づいて、項目情報から、ユーザが表示を希望するもの以外を削除し、また、モニタ属性情報に基づいて、モニタ９の表示能力に適合するように、レイアウト情報を修正する。さらに、データ処理回路３は、ＨＴＭＬデータに含まれるアイコン（画像データ）が、モニタ９に、格子状に配置されるように、レイアウト情報を修正する。
【００２５】
ユーザが表示を希望するもの以外が削除された項目情報（以下、適宜、選択項目情報という）、および修正されたレイアウト情報（以下、修正レイアウト情報という）は、データ処理回路３から、表示回路５に出力される。また、画像データおよびテキストデータは、データ処理回路３からそのまま出力される。
【００２６】
一方、検出回路６は、モニタ９が、例えば６４０×４８０ドット以上の画素を有するコンピュータ用のディスプレイなどであるとき、即ちＨＴＭＬデータに含まれる画像データおよびテキストデータを表示するのに充分な解像度を有するとき、スイッチＳＷ１またはＳＷ２に、端子ａ１またはａ２をそれぞれ選択させる。これにより、画像データおよびテキストデータは、間引き回路４を介さずに（バイパスして）、表示回路５に出力される。
【００２７】
また、検出回路６は、モニタ９が、例えばＮＴＳＣ方式やＰＡＬ方式に準拠したテレビジョン放送による映像を表示するテレビジョン受像機などであるとき、即ちＨＴＭＬデータに含まれる画像データおよびテキストデータを表示するのに充分な解像度を有さないとき、スイッチＳＷ１またはＳＷ２に、端子ｂ１またはｂ２をそれぞれ選択させる。これにより、画像データおよびテキストデータは、間引き回路４に供給される。
【００２８】
間引き回路４は、モニタ属性情報に基づいて、画像データおよびテキストデータを、モニタ９で表示可能なデータに変換するようになされている。即ち、間引き回路４は、画像データを間引いて、その画像データにより構成される画像を縮小する。さらに、間引き回路４は、テキストデータにより構成されるキャラクタ（文字や数字など）が縮小されるように、テキストデータを変換する。間引かれた後の画像データ、および変換後のテキストデータは、スイッチＳＷ２を介して、表示回路５に出力される。
【００２９】
表示回路５は、修正レイアウト情報および項目選択情報にしたがい、画像データおよびテキストデータから表示イメージを作成する。この表示イメージは、モニタ９に出力されて表示される。
【００３０】
これにより、モニタ９には、例えば図１に示すように、設定情報にしたがい、ＨＴＭＬデータに含まれる項目のうち、ユーザが所望する項目だけが表示される。従って、ユーザは、所望する項目を即座に探し出すことができる。
【００３１】
また、項目の右側には、項目を選択するためのアイコンが格子状に配置（再配置）されて表示される。
【００３２】
このとき、制御回路８は、表示回路５を制御し、モニタ９に、アイコンを選択するためのカーソル５０（図３）を表示させる。このカーソル５０は、操作部７を操作することにより移動させることができるようになされており、ユーザは、所望する項目に付されている数字が表示されたアイコン（例えば、所望する項目が、「天気予報」である場合には、それに付されている数字３が表示されたアイコン）にカーソル５０を移動させて選択する。
【００３３】
ここで、アイコンは、上述のように、格子状に配置（再配置）されて表示されるので、ユーザは、基本的に、カーソルを上下左右に移動させるだけで、容易に、所望するアイコンを選択することができる。即ち、カーソル５０は、例えばマウスなどではなく、十字カーソルキーなどによって、容易に、所望するアイコンの位置に移動させることができる。
【００３４】
アイコンが選択されると、制御回路８は、そのアイコン（項目）とリンクが張られているデータ（詳細な情報）を、再生部２に再生させ、上述した場合と同様にして、モニタ９に表示させる。
【００３５】
以上のように、モニタ９の解像度にあわせて、画像データを間引き、またテキストデータを変換するようにしたので、ＨＴＭＬデータを、コンピュータ用の高解像のディスプレイでない、例えばテレビジョン受像機や、カーナビゲーションシステムに付随するモニタなどによって表示することが可能となる。さらに、この場合、ＨＴＭＬデータを表示する際に、画像データの間引きおよびテキストデータの変換を行うようにしたので、記録媒体１に記録されているＨＴＭＬデータは、そのままコンピュータで利用することができる。即ち、記録媒体１に記録されているＨＴＭＬデータは、テレビジョン受像機などでも、またコンピュータ用のディスプレイでも表示可能になるという互換性を有することになる。
【００３６】
次に、図１に示したデータ処理回路３、間引き回路４、および表示回路５は、ＨＴＭＬデータを、モニタ９に表示させるためのビューアを構成しているということができる。このビューアは、実際には、例えばソフトウェアで構成されるが、その詳細をブロック図で表すと、それは、図２に示すようになる。即ち、データ処理回路３は、入力情報判断部２１、レイアウト修正部２２、モニタ属性情報記憶部２３、項目選択部２４、および設定情報記憶部２５から構成され、間引き回路４は、画像間引き部３１およびテキスト生成部３２で構成されている。また、表示回路５は、表示イメージ作成部４１で構成されている。
【００３７】
データ処理回路３では、入力情報判断部２１において、再生部２より供給されるＨＴＭＬデータが、画像データ、テキストデータ、レイアウト情報、項目情報に分離される。画像データおよびテキストデータは、間引き回路４に出力され、レイアウト情報または項目情報は、レイアウト修正部２２または項目選択部２４にそれぞれ供給される。
【００３８】
また、データ処理回路３のモニタ属性情報記憶部２３または設定情報記憶部２５では、上述したように、検出回路６または制御回路８から供給されるモニタ属性情報または設定情報がそれぞれ記憶される。
【００３９】
レイアウト修正部２２は、レイアウト情報を受信すると、モニタ属性情報記憶部２３からモニタ属性情報を読み出し、そのモニタ属性情報に基づいて、レイアウト情報を修正する。また、レイアウト修正部２２は、ＨＴＭＬデータに含まれるアイコンが格子状に再配置されるように、レイアウト情報を、さらに修正し、その結果得られる修正レイアウト情報を、表示イメージ作成部４１に出力する。
【００４０】
項目選択部２４は、項目情報を受信すると、設定情報記憶部２５から設定情報を読み出し、項目情報から、設定情報に対応する項目以外の項目を削除する。そして、その結果残った項目が、項目選択情報として表示イメージ作成部４１に出力される。
【００４１】
一方、間引き回路４では、データ処理回路３より出力された画像データまたはテキストデータが、画像間引き部３１またはテキスト生成部３２にそれぞれ供給される。画像間引き部３１は、画像データを受信すると、モニタ属性情報記憶部２３からモニタ属性情報を読み出し、そのモニタ属性情報（特に、解像度）に基づいて、画像データを間引く。また、テキスト生成部３２は、テキストデータを受信すると、やはりモニタ属性情報記憶部２３からモニタ属性情報を読み出し、そのモニタ属性情報に基づいて、テキストデータを変換する。間引かれた後の画像データおよび変換後のテキストデータは、表示イメージ作成部４１に出力される。
【００４２】
表示イメージ作成部４１は、項目選択情報に対応した項目を表示するのに必要な画像データおよびテキストデータを選択し、そのような画像データやテキストデータで構成されるオブジェクト（例えば、アイコンなど）を、修正レイアウト情報にリンクさせ、これにより、修正レイアウト情報に対応して各オブジェクトが配置された表示イメージを作成する。この表示イメージは、モニタ９に出力されて表示される。
【００４３】
次に、図３は、モニタ９の表示状態を示している。同図に示すように、アイコンは、格子状に配列されて表示されるので、カーソル５０を移動させるためのデバイスが、例えば図４に示すような、カーソル５０をそれぞれ上下左右に移動させるときに操作される上キー６１Ｕ、下キー６１Ｄ、左キー６１Ｌ、または右キー６１Ｒで構成されているカーソルキー６１などであっても、ユーザは、所望するアイコンの位置に、カーソル５０を容易に移動させることができる。
【００４４】
さらに、操作部７を、再生装置を遠隔制御可能なリモートコマンダとする場合において、将来、そのリモートコマンダを、例えば電話機や、モニタ９のリモートコマンダと兼用とするとき、電話番号を入力するためのプッシュボタンや、チャンネルを選択するための数字ボタンを、カーソル５０を移動させるためのボタンとして採用（兼用）しても、ユーザは、所望するアイコンの位置に、カーソル５０を容易に移動させることができる。
【００４５】
なお、図３において、矢印アイコン５１または５２が操作された場合には、その左側にある表示部分が上方向または下方向にそれぞれスクロールされる。また、ＦＡＸアイコン５３が操作された場合には、図１の再生装置が、ファクシミリに接続されていれば、そのファクシミリから、モニタ９の表示画面（図３に示したような画面）のハードコピーが出力される。
【００４６】
次に、図５は、本発明を適用した放送システムの一実施例の構成を示している。放送局では、例えば地上波によるテレビジョン放送とともに、文字多重放送と同様にして、ＨＴＭＬデータの放送が行われるようになされている。即ち、放送局においては、ミキサ７２には、テレビジョン放送として放送すべき番組の映像信号が入力される。さらに、ミキサ７２には、映像信号の他、サーバ７１によって、インターネットを介して受信されたＨＴＭＬデータも入力される。ミキサ７２では、ＨＴＭＬデータが、映像信号のブランキング期間に重畳される。即ち、ミキサ７２では、例えば文字多重放送における場合と同様に、映像信号の垂直ブランキング期間の第１６Ｈ（ライン）と第２１Ｈ（但し、これは、奇数フィールドについてであり、偶数フィールドについては、第２７９Ｈおよび第２８４Ｈ）に、ＨＴＭＬデータが重畳される。
【００４７】
ＨＴＭＬデータが重畳された映像信号は、変調器７３に出力される。変調器７３には、映像信号の他、その映像信号に付随する音声（番組の音声）が供給される。変調器７３では、映像信号と音声信号とが多重化（周波数多重化）され、さらに変調される。その結果得られる変調信号は、送信機７４に供給され、そこで増幅処理などの必要な処理が施された後、テレビジョン放送信号として、アンテナ７５から送信される。
【００４８】
このテレビジョン放送信号は、ユーザ側のアンテナ８１で受信され、その受信信号（テレビジョン放送信号）は、受信装置８２に供給される。受信装置８２では、アンテナ８１より供給された受信信号が復調され、その復調信号（映像信号）から、ブランキング期間に含まれるＨＴＭＬデータが取り出される（抽出される）。このＨＴＭＬデータは、例えば光磁気ディスク（例えば、ＭＤデータなど）その他の記録再生が可能な記録媒体８４に記録される。なお、記録媒体８４は、受信装置８２のスロット（図示せず）に対し、着脱可能になされている。
【００４９】
記録媒体８４にＨＴＭＬデータを記録した後は、それを、図１の再生装置と同様に構成される再生装置８３に装着し、ＨＴＭＬデータを再生することで、そのＨＴＭＬデータを、例えばテレビジョン受像機などでなるモニタ８３に表示させ、視聴することができる。
【００５０】
なお、放送局側では、ＨＴＭＬデータを、通常の文字多重放送などが行われていない時間（例えば、午前２時乃至午前６時など）に送信するようにし、受信装置８２では、これを受信して記録媒体８４に記録するようにするのが好ましい。また、図５の受信装置８２および再生装置８５は、一体的に構成することが可能である。
【００５１】
次に、図６は、受信装置８２の構成例を示している。アンテナ８１で受信されたテレビジョン放送信号は、チューナ９１に供給される。チューナ９１には、テレビジョン放送信号の他、制御回路９３から復調すべきチャンネルを指令する制御信号も供給されており、チューナ９１では、アンテナ８１から受信したテレビジョン放送信号のうち、制御回路９３からの制御信号に対応したチャンネルのものが復調される。そして、その結果得られる復調信号のうちの映像信号がデータデコーダ９５に出力される。なお、制御回路９３が、チューナ９１に復調させるチャンネルは、操作部９４を操作することで変更することができるようになされている。
【００５２】
データデコーダ９５では、映像信号からＨＴＭＬデータが取り出される。即ち、データデコーダ９５は、通常の文字多重放送用のデコーダと同様に、データスライサその他のブロックで構成され、そこでは、映像信号から、ＨＴＭＬデータが重畳されている水平走査線が抽出され、ＨＴＭＬデータがデコードされて、データストレージコントローラ９６に出力される。データストレージコントローラ９６は、ＨＴＭＬデータを受信すると、それを、記録媒体８４に記録する。
【００５３】
以上のようにしてＨＴＭＬデータが記録媒体８４に記録された後は、再生装置８５によってＨＴＭＬデータを再生することで、そのＨＴＭＬデータを、モニタ８３に表示させて見ることができる。また、記録媒体８４を、図示せぬコンピュータにセットして再生を行わせることによっても、ＨＴＭＬデータを見ることができる。
【００５４】
従って、ＨＴＭＬデータの作成者は、テレビジョン受像機などの、テレビジョン放送を表示可能なモニタでＨＴＭＬデータを見るというニーズが高くなっても、コンピュータディスプレイ用と、テレビジョン受像機用との２種類のＨＴＭＬデータを作成する必要はない。
【００５５】
なお、図２のビューアは、ハードウェアの制限を受けることはない。即ち、図２のビューアは、あらゆるハードウェアで用いることが可能である。また、図２のビューアは、上述した場合の他、例えば高解像度のモニタの狭い表示エリアに、ＨＴＭＬデータを表示させる場合などにも適用可能である。
【００５６】
さらに、図２のビューアにおいて、ユーザの希望する項目だけを選択して表示する機能は、いわゆるネットワークニュースリーダや、パソコン（パーソナルコンピュータ）通信におけるフォーラムなどの情報を自動的に読み出すソフトウェアなどに適用可能である。
【００５７】
また、図２のビューアにおいて、アイコンを格子状に配置する機能は、アイコンを表示するあらゆるソフトウェアに適用可能である。
【００５８】
さらに、本実施例では、ＨＴＭＬデータを表示する場合について説明したが、本発明は、ＨＴＭＬデータ以外のデータを表示する場合についても適用可能である。
【００５９】
また、本実施例では、ＨＴＭＬデータを、一旦記録してから再生して表示するようにしたが、ＨＴＭＬデータは、一旦記録せずに、そのまま表示するようにすることも可能である。
【００６０】
さらに、本実施例では、ビューアとモニタ９とを別々の装置としたが、これらは、一体的に構成することも可能である。
【００６１】
また、本実施例では、アイコンを、格子状に再配置するようにしたが、アイコンは、その他の形状に再配置することも可能である。
【図面の簡単な説明】
【００６２】
【図１】本発明を適用した再生装置の一実施例の構成を示すブロック図である。
【図２】図１のデータ処理回路３、間引き回路４、および表示回路５（ビューア）の構成例を示すブロック図である。
【図３】図１のモニタ９の表示例を示す図である。
【図４】カーソルを移動させるためのカーソルキーを示す図である。
【図５】本発明を適用した放送システムの一実施例の構成を示す図である。
【図６】図５の受信装置８２の構成例を示すブロック図である。
【符号の説明】
【００６３】
１  記録媒体
２  再生部  
３  データ処理回路
４  間引き回路
５  表示回路
６  検出回路
７  操作部
８  制御回路
９  モニタ
２１  入力情報判断部
２２  レイアウト修正部
２３  モニタ属性情報記憶部
２４  項目選択部
２５  設定情報記憶部
３１  画像間引き部
３２  テキスト生成部
４１  イメージ作成部
【図１】
2004185022.tif 000003
【図２】
2004185022.tif 000004
【図３】
2004185022.tif 000005
【図４】
2004185022.tif 000006
【図５】
2004185022.tif 000007
【図６】
2004185022.tif 000008